(57)【要約】      （修正有）【課題】広範囲の真空装置等の扉に適用して、確実に高密閉度を確保できる二軸型ヒンジを提供する。【解決手段】二軸型ヒンジは、筐体１に固定される固定翼部材２と、扉２０に固定される可動翼部材１１と、両翼部材２，１１間を連結する連結翼部材５とを具備する。連結翼部材５は、一端側が第１の枢軸９によって固定翼部材２に枢着され、他端側が第２の枢軸１４によって可動翼部材１１に枢着される。連結翼部材５と可動翼部材１１は、扉２０の閉鎖状態において互いに対向する第１の対向部６ｂと第２の対向部１３ａをそれぞれ有する。第１の対向部６ｂと第２の対向部１３ａとの間には、両対向部間に介在することによって扉２０の閉鎖状態における両対向部６ｂ，１３ａ間の距離を調整するための調整部材１６を有する。【選択図】図４
2008303532.tif 000002
【特許請求の範囲】
【請求項１】
筐体に固定される固定翼部材と、扉に固定される可動翼部材と、固定翼部材と可動翼部材とを連結する連結翼部材とを具備し、当該連結翼部材は一端側が第１の枢軸で前記固定翼部材に枢着され他端側が第２の枢軸で前記可動翼部材に枢着され、
前記連結翼部材と可動翼部材は、前記扉の閉鎖状態において扉の開閉方向に互いに対向する第１の対向部と第２の対向部をそれぞれ有し、
前記第１の対向部と第２の対向部との間には、両対向部間に介在することによって前記扉の閉鎖状態における両対向部間の距離を調整するための調整部材が設けられることを特徴とする二軸型ヒンジ。
【請求項２】
前記調整部材は、前記連結翼部材の第１の対向部に設けられたねじ孔に螺合される調整ボルトを具備し、
この調整ボルトは、連結翼部材から前記可動翼部材側に突出し、当該突出寸法を調整可能であることを特徴とする請求項１に記載の二軸型ヒンジ。
【請求項３】
前記連結翼部材のねじ孔は、連結翼部材を貫通し一端が前記扉の開方向である前方に開口し、他端が前記扉の閉鎖状態における前記可動翼部材の第２の対向部に対向して開口するように設けられ、
前記調整ボルトは、前記ねじ孔の一端側の開口から調整操作可能であることを特徴とする請求項２に記載の二軸型ヒンジ。
【請求項４】
前記調整部材は、前記ねじ孔内に位置する前記調整ボルトの一端部に当接可能に当該ねじ孔に螺合される止めねじをさらに具備し、
前記調整ボルトは、一端部に工具係合穴を具備し、
前記止めねじは、前記ねじ孔の一端側から着脱及び調整操作可能であることを特徴とする請求項３に記載の二軸型ヒンジ。
【発明の詳細な説明】
【技術分野】
【０００１】
本発明は、各種真空装置などの密閉用扉に使用される二軸型ヒンジであって、扉の閉鎖状態において、締め込み装置と協働して扉と筐体との間に介在するパッキングを均等に圧縮させて良好な密閉状態を提供するものに関する。
【背景技術】
【０００２】
真空装置の筐体では、良好な真空状態を維持するために、内部空間と外部空間とが気密性高く遮断される必要がある。この密閉機能を確保するためにプラスチックやゴム製のパッキングが筐体と扉との間に装着され、扉の閉鎖状態において締め込み装置でこのパッキングを圧縮することが行なわれている。
【０００３】
ヒンジには、単一の回転中心軸が筐体に対して移動しない固定単軸型のヒンジ（特許文献１参照）と、固定枢軸と１個以上の可動枢軸を持つ可動複軸型のヒンジ （特許文献２参照）があるが、固定単軸型のヒンジを使用したときには、扉の閉鎖動作の終局段階で、扉がパッキングの全周に対して均等に当接せず、その結果、締め込み時にヒンジに近い側のパッキング部分が先行的に圧縮されるため、これに近接するパッキング部分が膨れたり捩れたりすることがあり、扉が完全に閉まり切らなかったり、所期の密閉度を確保できないことがある。
【０００４】
可動複軸型のヒンジでは、閉鎖の終局段階で扉が筐体の受け枠に向かってほぼ平行に移動し、パッキングに均等に当接するため、パッキングは全域にわたってほぼ均等に圧縮変形させられる。特許文献２に記載された二軸ヒンジでは、ヒンジ体どうしが不要な相対回動を起こさないように制御され、かつ、隙間が生じない程度に、ヒンジ体どうしの相対角度の変動を許容する。すなわち、筐体に固着される固定ヒンジ体が、第一軸部材により連結ヒンジ体に枢着され、扉に固着される可動ヒンジ体が、第二軸部材により連結ヒンジ体に枢着される。可動ヒンジ体の当接部と連結ヒンジ体の当接部とが相互に接触して一方向の回動を所定の角度で止めることで、可動ヒンジ体と連結ヒンジ体とが不要な相対的な回動を起こさないように制御される。しかしながら、相対的回動角度が固定されるので、適用できる筐体の構造、寸法などが限定されるという難点がある。したがって、従来は、装置ごとにヒンジを設計し、あるいは枢軸の軸受け孔を楕円孔に加工する等、装置ごとに個別の対応を余儀なくされている。
【特許文献１】特許第２５４６７８０号公報
【特許文献２】特開２００７−５６５１５号公報
【発明の開示】
【発明が解決しようとする課題】
【０００５】
本発明の課題は、広範囲の真空装置等の扉に適用して、扉をパッキングの全周にわたって均等に当接させることができ、その後の締め込み装置による締め込みによって、パッキングを所要の厚さに均等に圧縮することが可能であるとともに、扉を適正な閉鎖位置に確実に拘束保持することができる二軸型ヒンジを提供することである。
【課題を解決するための手段】
【０００６】
本発明においては、上記課題を解決するため、筐体１に固定される固定翼部材２と、扉２０に固定される可動翼部材１１と、これら両翼部材２，１１間を連結する連結翼部材５とを具備させて二軸型ヒンジを構成する。連結翼部材５は、一端側が第１の枢軸９で固定翼部材２に枢着され、他端側が第２の枢軸１４で可動翼部材５に枢着される。連結翼部材５と可動翼部材１１には、扉２０の閉鎖状態において互いに扉の開閉方向に対向する第１の対向部６ｂと第２の対向部１３ａをそれぞれ設ける。第１の対向部６ｂと第２の対向部１３ａとの間には、両対向部間に介在することによって扉２０の閉鎖状態における両対向部６ｂ，１３ａ間の距離を調整するための調整ボルト１７のような調整部材１６を設ける。
【０００７】
上記調整部材１６には、連結翼部材５の第１の対向部６ｂに設けられたねじ孔６ａに螺合される調整ボルト１７を具備させ、この調整ボルト１７を連結翼部材５から可動翼部材１１側に突出させ、当該突出寸法を調整可能とすることができる。
【０００８】
上記連結翼部材５のねじ孔６ａは、連結翼部材５を貫通させ、一端を前記扉２０の開方向である表側に開口させ、他端を扉２の閉鎖状態における可動翼部材１１の第２の対向部１３ａに対向して開口させ、また調整ボルト１７は、ねじ孔６ａの一端側の開口から調整操作可能とすることができる。
上記調整部材１６には、ねじ孔６ａ内に位置する調整ボルト１７の一端部に当接可能に当該ねじ孔６ａに螺合される止めねじ１８をさらに具備させ、調整ボルト１７には、一端部に工具係合穴１７ｃを具備させ、止めねじ１８は、ねじ孔６ａの一端側から着脱及び調整操作可能とすることができる。
以上添付図面の符号を参照して説明したが、本発明はこれに限定されるものではない。
【発明の効果】
【０００９】
本発明の二軸型ヒンジでは、適用する筐体の構造、寸法に個別に適合するように、扉２０の閉鎖状態における可動翼部材１１の対向部１３ａと連結翼部材５の対向部６ｂとの間の距離を調整部材１６によって調整する。従って、一種類のヒンジで、広範囲の真空装置等の扉２０に適用して確実な密閉に資することができる。
【００１０】
調整部材１６を連結翼部材５の対向部６ｂに設けられたねじ孔６ａに螺合される調整ボルト１７で構成し、この調整ボルト１７を連結翼部材５から可動翼部材側１１へ突出させ、当該突出寸法を調整可能とすれば、調整操作が容易であり、調整部材を小型、簡易に構成できる。
【００１１】
ねじ孔６ａを連結翼部材５に貫通させ、ねじ孔６ａの一端側の開口から調整ボルト１７を調整操作可能とすれば、扉２０を閉鎖位置に置いた状態で、調整操作を一層容易に行うことができる。
【００１２】
調整部材１６として、調整ボルト１７の一端部に当接可能な止めねじ１８をさらに具備させれば、調整操作が容易であると共に、位置調整した調整ボルト１７の緩みを確実に止めて扉の良好な密閉状態を維持することができる。
【発明を実施するための最良の形態】
【００１３】
図面を参照して本発明の実施の形態を説明する。図１は本発明に係る二軸型ヒンジの正面図であり、扉は閉鎖位置にある。図２は図１の二軸型ヒンジの平面図、図３は図１の二軸型ヒンジの一部を切り欠いた正面図、図４は図１におけるIV−IV断面図、図５は一部の拡大断面図である。
【００１４】
図示の実施形態では、筐体１に固着される固定翼部材２は金属材料によって成形され、ボルト孔３ａを有する本体３と、本体３から側方へ突出した上下一対の軸受部４とを有する。上下の軸受部４には、同一垂直線上に軸孔４ａが貫通する。固定翼部材２は、ボルト孔３ａを通るボルト１０によって筐体１の扉受枠部に締め付け固着される。
【００１５】
金属材料で成形された連結翼部材５は、主体部６と二対の軸受筒部７，８を有する。主体部６は、ほぼ矩形板状で、固定翼部材２の上下一対の軸受部４間に挿入可能な上下幅を有する。軸受筒部７，８は、主体部６の四隅に設けられる。すなわち、主体部６の基端側に、上下一対の軸受筒部７が形成され、先端側に、上下一対の軸受筒部８が形成される。上下各一対の軸受筒部７，８には、それぞれ同一垂直線上に軸孔７ａ，８ａが貫通する。軸受筒部７は、固定翼部材２の軸受部４に連続する。主体部６の中央には、扉の開閉方向である前後方向に貫通するねじ孔６ａが設けられる。
【００１６】
固定翼部材２の軸受部４と連結翼部材５の軸受筒部７に第１の枢軸９が挿通され、これによって連結翼部材５が固定翼部材２に枢着される。
【００１７】
扉２０に固着される可動翼部材１１は金属材料によって成形され、上下一対のブラケット部１２と、両ブラケット部１２間を結合する連結部１３とを有する。上下のブラケット部１２間には連結翼部材５の先端側を受け入れ可能である。両ブラケット部１２には、同一垂直線上に軸孔１２ａが貫通し、受け入れた連結翼部材５の軸受筒部８の軸孔８ａと連続する。可動翼部材１１のブラケット部１２と連結翼部材５の軸受筒部８に第２の枢軸１４が挿通され、これによって可動翼部材１１が連結翼部材５に枢着される。可動翼部材１１はブラケット部１２の４個のボルト孔１２ｂを通るボルト１５によって、扉２０に締め付け固着される。
【００１８】
可動翼部材１１の連結部１３は、扉２０の閉鎖状態において連結翼部材５の主体部６の扉側に間隔を置いて上下方向に縦断する。連結翼部材５の主体部６と可動翼部材１１の連結部１３には、互いに扉の開閉方向に対向する第１及び第２の対向部６ｂ，１３ａが形成される。したがって、連結翼部材５のねじ孔６ａは、一端側が連結翼部材５の中央表面（扉と反対側面）に開口し、他端側が第１の対向部６ｂ（扉側の面）に開口する。
【００１９】
扉２０の閉鎖状態における可動翼部材１１の対向部１３ａと連結翼部材５の対向部６ｂとの間の距離を調整するための調整部材１６が連結翼部材５に設けられる。この実施形態において、調整部材１６は、連結翼部材５に設けられたねじ孔６ａに螺合される調整ボルト１７と止めねじ１８とからなる。調整ボルト１７は、大径の頭部１７ａと軸部１７ｂとを有し、頭部１７ａが連結部１３側に配置されるように、連結翼部材５の裏側からねじ孔６ａに螺合される。ねじ孔６ａに螺合される軸部１７ｂの先端には、工具係合用の角穴１７ｃが形成される。この角穴１７ｃに連結翼部材５の表側から工具を係合させて調整ボルト１７の突出長さを調整することができる。止めねじ１８は、連結翼部材５の表側からねじ孔６ａに螺合され、先端が調整ボルト１７の先端に当接することで調整ボルト１７を緩み止めする。
【００２０】
調整ボルト１７の突出長さを調整することによって、扉２０の閉鎖状態における連結翼部材５と可動翼部材１１の相対角度を微調整する。これによりパッキングに対する扉２０の押圧角度を微調整し、パッキングの反力による扉２０の浮き上がり等を確実に防止し、高い密閉度を確保することができる。連結翼部材５と可動翼部材１１との好適な相対角度は、適用する機器により微妙に異なるが、調整ボルト１７の調整により、一種類のヒンジで、広範囲の真空装置等の機器の扉に適用することができる。扉を閉鎖位置に置いた状態で、調整操作を容易に行うことができ、調整部材１６は小型、簡易に構成できる。
【００２１】
図６，図７には他の実施形態の二軸型ヒンジを示す。図６は正面図、図７は断面図である。同図において、先の実施形態と同等の構成部分には同一の符号を付して説明を省略する。
【００２２】
この実施形態の二軸型ヒンジは、複数の連結翼部材５と可動翼部材１１で大重量の扉２０を支持するものである。筐体１に固着される固定翼部材２は、上下の一対２ａ，２ｂに分割され、それぞれが本体３と軸受部４とを有する。上下の軸受部４間には、長尺の第１の枢軸９が支承され、この枢軸９上に複数の連結翼部材５が枢支される。連結翼部材５は、セットカラー１９で枢軸９上の位置を定めて軸線方向に固定される。各連結翼部材５には、第２の枢軸１４によって可動翼部材１１が枢着され、それぞれボルト１５によって扉２０に固着される。これにより、複数の連結翼部材５と可動翼部材１１が第１の枢軸９上で同期して回動し、扉２０の円滑な開閉動作に資する。
【図面の簡単な説明】
【００２３】
【図１】本発明に係る二軸型ヒンジの正面図である。
【図２】図１の二軸型ヒンジの平面図である。
【図３】図１の二軸型ヒンジの一部を切り欠いた正面図である。
【図４】図１におけるIV−IV断面図である。
【図５】図１の二軸型ヒンジの一部の拡大断面図である。
【図６】本発明の他の実施形態に係る二軸型ヒンジの正面図である。
【図７】図５の二軸型ヒンジの断面図である。
【符号の説明】
【００２４】
１      筐体
２      固定翼部材
３      本体
３ａ    ボルト孔
４      軸受部
４ａ    軸孔
５      連結翼部材
６      主体部
６ａ    ねじ孔
６ｂ    対向部
７      軸受筒部
７ａ    軸孔
８      軸受筒部
８ａ    軸孔
９      第１の枢軸
１０    ボルト
１１    可動翼部材
１２    ブラケット部
１２ａ  軸孔
１２ｂ  ボルト孔
１３    連結部
１３ａ  対向部
１４    第２の枢軸
１５    ボルト
１６    調整部材
１７    調整ボルト
１７ａ  頭部
１７ｂ  軸部
１７ｃ  角穴
１８    止めねじ
１９    セットカラー
２０    扉
【図１】
2008303532.tif 000003
【図２】
2008303532.tif 000004
【図３】
2008303532.tif 000005
【図４】
2008303532.tif 000006
【図５】
2008303532.tif 000007
【図６】
2008303532.tif 000008
【図７】
2008303532.tif 000009